(57)【要約】【課題】１画面分のアキュムレート波形を表示するのにあたり、比較的高速に処理できる波形表示装置を実現すること。【解決手段】多数の波形データを分割されたＶＲＡＭの各プレーンに取り込み、各波形データの表示形態を時間の経過に応じて変化させるように重ね描き表示する波形表示装置において、前記ＶＲＡＭの前段には波形データを書き込むプレーンを選択する第１のデータセレクタが設けられ、前記ＶＲＡＭの後段には各プレーンに書き込まれた波形データの表示形態を選択する第２のデータセレクタが設けられたことを特徴とするもの。【選択図】                    図１
2011085408.tif 000002
【特許請求の範囲】
【請求項１】
多数の波形データを分割されたＶＲＡＭの各プレーンに取り込み、各波形データの表示形態を時間の経過に応じて変化させるように重ね描き表示する波形表示装置において、
前記ＶＲＡＭの前段には波形データを書き込むプレーンを選択する第１のデータセレクタが設けられ、
前記ＶＲＡＭの後段には各プレーンに書き込まれた波形データの表示形態を選択する第２のデータセレクタが設けられたことを特徴とする波形表示装置。
【請求項２】
前記波形データの表示形態は表示色であり、時間の経過に応じて濃い色から淡い色に変化させることを特徴とする請求項１記載の波形表示装置。
【請求項３】
前記波形データの表示形態は、表示輝度であり、時間の経過に応じて高輝度から低輝度に変化させることを特徴とする請求項１記載の波形表示装置。
【請求項４】
前記ＶＲＡＭの各プレーンには、前記第１のデータセレクタを介して最新の波形データだけが書き込まれることを特徴とする請求項１記載の波形表示装置。
【発明の詳細な説明】
【技術分野】
【０００１】
本発明は、波形表示装置に関し、詳しくは、波形の残像表示処理の高速化に関するものである。
【背景技術】
【０００２】
測定信号の波形データを表示する波形表示装置の機能の一つに、画像の残像表示処理がある。これは、多数の波形データを取り込んでビットマップ画像として１枚ずつ描画しながら重ね描き表示するのにあたり、これら画像の表示輝度を時間経過にしたがって下げるように制御し、各画像を時間経過に従い消去する動作を並行して行うものであり、以下このような輝度制御による残像表示処理を「アキュムレート」という。
【０００３】
これにより、過去の波形の表示輝度は徐々に減少していくことになり、測定信号の発生順を表示画面上で目視観測するのに適している。
【０００４】
図３は、アキュムレート機能を有する従来の波形表示装置の主要部の一例を示すブロック図である。図３において、測定信号の波形データは、ＶＲＡＭ制御部１により読み出し／書き込み動作が制御されるＶＲＡＭ２に逐次格納される。ＶＲＡＭ２は複数（図３では５）のプレーン２１〜２５で構成されていて、各波形データはＶＲＡＭ制御部１の制御に応じて所定のプレーン２１〜２５に格納される。
【０００５】
ＶＲＡＭ２の各プレーン２１〜２５には、波形データを所定のカラーデータに変換するカラーパレット３１〜３５がそれぞれ接続されている。これらカラーパレット３１〜３５は、たとえば８ビットの波形データをたとえば１６ビットのカラーデータに変換する。
【０００６】
各カラーパレット３１〜３５には、それぞれデータバッファ４１〜４５が接続されている。これらデータバッファ４１〜４５は、アキュムレート波形を合成するために１ライン分（たとえば１０２４ピクセル）のデータを格納する。
【０００７】
これらデータバッファ４１〜４５の出力端子は、データ合成部５に接続されている。データ合成部５は、カラーパレット３１〜３５でカラーデータに変換されたＶＲＡＭ２の各プレーン２１〜２５の波形データを、１画面の表示データに合成する。
【０００８】
図４は図３の動作説明図であり、アキュムレートを５回行う例を示している。アキュムレート波形を描画するのにあたり、最初の１回目Ｔ１は、ＶＲＡＭ２のプレーン２１のみに新しい波形データを書き込む。２回目Ｔ２は、ＶＲＡＭ２のプレーン２２に前回Ｔ１の波形データを書き込むとともにプレーン２１に新しい波形データを書き込む。
【０００９】
３回目Ｔ３は、ＶＲＡＭ２のプレーン２３に前々回Ｔ１の波形データを書き込み、プレーン２２に前回Ｔ２の波形データを書き込むとともにプレーン２１に新しい波形データを書き込む。４回目Ｔ４は、ＶＲＡＭ２のプレーン２４に３回前Ｔ１の波形データを書き込み、プレーン２３に前々回Ｔ２の波形データを書き込み、プレーン２２に前回Ｔ３の波形データを書き込むとともにプレーン２１に新しい波形データを書き込む。
【００１０】
５回目は、ＶＲＡＭ２のプレーン２５に４回前Ｔ１の波形データを書き込み、プレーン２４に３回前Ｔ２の波形データを書き込み、プレーン２３に前々回Ｔ３の波形データを書き込み、プレーン２２に前回Ｔ４の波形データを書き込むとともにプレーン２１に新しい波形データを書き込む。
【００１１】
６回目以降は、常に５回目と同様に、ＶＲＡＭ２のプレーン２５に４回前の波形データを書き込み、プレーン２４に３回前の波形データを書き込み、プレーン２３に前々回の波形データを書き込み、プレーン２２に前回の波形データを書き込むとともにプレーン２１に新しい波形データを書き込む。
【００１２】
ＶＲＡＭ２の各プレーン２１〜２５から読み出された波形データにはカラーパレット３１〜３５でそれぞれのアキュムレートの色情報が付加され、データバッファ部４でバッファされた後、データ合成部５に入力されて１枚の画像データに合成される。
【００１３】
ここで、ＶＲＡＭ２の各プレーン２１〜２５に書き込み格納された波形データはカラーパレット３１〜３５と１対１で接続されているため、１枚の画像データに合成されたときの各波形データの表示色情報は、波形データが書き込み格納されたＶＲＡＭ２のプレーン２１〜２５の位置によって一義的に決まることになる。
【００１４】
したがって、カラーパレット３１〜３５のそれぞれのアキュムレートの色情報を、時間経過に応じてたとえば濃い青色から淡い青色に切り替わるように割り当てることにより、データ合成部５で合成された１枚の画面から、最も濃い青色が最新の波形データで最も淡い青色が最も過去の波形データであることを認識できる。なお、単色表示の場合には、カラーパレット３１〜３５の色情報を輝度諧調情報と同等とすることができる。
【００１５】
【特許文献１】特開２００８−２８１５１５号公報
【００１６】
特許文献１には、表示画面上で表示輝度の違いに基づき個別に波形を識別できる波形表示装置が記載されている。
【発明の開示】
【発明が解決しようとする課題】
【００１７】
しかし、従来の構成によれば、１画面分のアキュムレート波形を表示するのにあたり、過去の波形も同時に描画していることから、ＶＲＡＭ２の各プレーン２１〜２５への波形データの書き込みにかなりの処理時間がかかり、アキュムレート処理の高速化が困難であるという問題がある。
【００１８】
本発明は、このような従来の問題点に着目したものであり、その目的は、１画面分のアキュムレート波形を表示するのにあたり、比較的高速に処理できる波形表示装置を実現することにある。
【課題を解決するための手段】
【００１９】
このような課題を達成する請求項１の発明は、
多数の波形データを分割されたＶＲＡＭの各プレーンに取り込み、各波形データの表示形態を時間の経過に応じて変化させるように重ね描き表示する波形表示装置において、
前記ＶＲＡＭの前段には波形データを書き込むプレーンを選択する第１のデータセレクタが設けられ、
前記ＶＲＡＭの後段には各プレーンに書き込まれた波形データの表示形態を選択する第２のデータセレクタが設けられたことを特徴とする。
【００２０】
請求項２の発明は、請求項１記載の波形表示装置において、
前記波形データの表示形態は表示色であり、時間の経過に応じて濃い色から淡い色に変化させることを特徴とする。
【００２１】
請求項３の発明は、請求項１記載の波形表示装置において、
前記波形データの表示形態は、表示輝度であり、時間の経過に応じて高輝度から低輝度に変化させることを特徴とする。
【００２２】
請求項４の発明は、請求項１記載の波形表示装置において、
前記ＶＲＡＭの各プレーンには、前記第１のデータセレクタを介して最新の波形データだけが書き込まれることを特徴とする。
【発明の効果】
【００２３】
これらにより、１画面分のアキュムレート波形を表示するのにあたり、比較的高速に処理できる。
【図面の簡単な説明】
【００２４】
【図１】本発明の一実施例を示すブロック図である。
【図２】図１の動作説明図である。
【図３】従来の波形表示装置の主要部の一例を示すブロック図である。
【図４】図３の動作説明図である。
【発明を実施するための最良の形態】
【００２５】
以下、本発明について、図面を用いて説明する。図１は本発明の具体例を示すブロック図であり、図３と共通する部分には同一の符号を付けている。図１と図３の相違点は、ＶＲＡＭ２の前段には第１のデータセレクタ６が接続され、ＶＲＡＭ２の後段には第２のデータセレクタ７が接続されていることである。
【００２６】
第１のデータセレクタ６は、波形データをＶＲＡＭ２の適切なプレーン２１〜２５に書き込むように切り替え接続するものであり、ＶＲＡＭ２のいずれかのプレーン２１〜２５に波形データを書き込む度に次に波形データを書き込むプレーンを２１，２２，・・，２５，２１，２２と順次切り替える。
【００２７】
第２のデータセレクタ７は、図２に示すように、波形データが書き込まれるＶＲＡＭ２の各プレーン２１〜２５をそれぞれ適切なカラーパレット３１〜３５に接続する。
【００２８】
図２は図１の動作説明図であり、図３および図４に示した従来と同様に、アキュムレートを５回行う例を示している。本発明では、アキュムレート波形を描画するのにあたり、ＶＲＡＭ２の各プレーン２１〜２５には常に最新の波形データのみが書き込まれる。
【００２９】
すなわち、第１のデータセレクタ６は、最初の１回目Ｔ１の波形データをプレーン２５に書き込み、２回目Ｔ２の波形データをプレーン２１に書き込み、３回目Ｔ３の波形データをプレーン２２に書き込み、４回目Ｔ４の波形データをプレーン２３に書き込み、５回目Ｔ５の波形データをプレーン２４に書き込むように切り替え接続する。ここで、５回目Ｔ５の波形データが最新になり、４回目Ｔ４の波形データは前回の波形データになり、３回目Ｔ３の波形データは前々回の波形データになり、２回目Ｔ２の波形データは３回前の波形データになり、１回目Ｔ１の波形データは４回前の波形データになる。
【００３０】
それぞれの波形データが書き込まれたＶＲＡＭ２の各プレーン２１〜２５は、第２のデータセレクタ７を介して、以下のようにそれぞれ適切なカラーパレット３１〜３５に接続される。
【００３１】
図２に示す本実施例では、カラーパレット３１には常に最新Ｔ５の波形データが書き込まれるプレーン２４が接続され、カラーパレット３２には常に前回Ｔ４の波形データが書き込まれるプレーン２３が接続され、カラーパレット３３には常に前々回Ｔ３の波形データが書き込まれるプレーン２２が接続され、カラーパレット３４には常に３回前Ｔ２の波形データが書き込まれるプレーン２１が接続され、カラーパレット３５には常に４回前Ｔ１の波形データが書き込まれるプレーン２５が接続される。
【００３２】
このようにしてＶＲＡＭ２の各プレーン２１〜２５から読み出された波形データには、従来と同様に、カラーパレット３１〜３５でそれぞれのアキュムレートの色情報が付加され、データバッファ部４でバッファされた後、データ合成部５に入力されて１枚の画像データに合成される。
【００３３】
本実施例でも、ＶＲＡＭ２の各プレーン２１〜２５に書き込み格納された波形データとカラーパレット３１〜３５は、ＶＲＡＭ２に波形データが描き込まれる度に第２のデータセレクタ７によって接続が切り替えられるため、１枚の画像データに合成されたときの各波形データの表示色情報は、最新の波形データがＶＲＡＭ２のプレーン２１〜２５のどの位置に書き込み格納されたかによって決まることになる。
【００３４】
したがって、従来と同様に、カラーパレット３１〜３５のそれぞれのアキュムレートの色情報を、時間経過に応じてたとえば濃い青色から淡い青色に切り替わるように割り当てることにより、データ合成部５で合成された１枚の画面から、最も濃い青色が最新の波形データで最も淡い青色が最も過去の波形データであることを認識できる。なお、単色表示の場合には、カラーパレット３１〜３５の色情報を輝度諧調情報と同等とすることができる。
【００３５】
このように構成することにより、ＶＲＡＭ２の各プレーン２１〜２５には、常に最新の波形データだけを書き込めばよいので、従来のように過去の波形データも同時に書き込む構成に比べて、ＶＲＡＭ２の各プレーン２１〜２５に波形データを書き込むための処理時間を大幅に短縮でき、１画面分のアキュムレート波形表示を比較的高速に処理できる。
【００３６】
以上説明したように、本発明によれば、１画面分のアキュムレート波形表示を比較的高速に処理できることから、デジタルオシロスコープなどの波形表示装置における残像表示処理の高速化に好適である。
【符号の説明】
【００３７】
１  ＶＲＡＭ制御部
２  ＶＲＡＭ
２１〜２５  プレーン
３１〜３５  カラーパレット
４１〜４５  データバッファ
５  データ合成部
６，７  データセレクタ
【図１】
2011085408.tif 000003
【図３】
2011085408.tif 000004
【図２】
2011085408.tif 000005
【図４】
2011085408.tif 000006